(57)【要約】【課題】  従来の容器は内容物を容易に取り出すための容器であるが、内容物が弾力性のある固形物の食材を入れた場合、そしゃく力の弱い小さい子供や高齢者が食べた場合、のどに詰まらせて窒息するおそれがある。【解決手段】  食品を取出した場合、食品に貫通穴が設けられ、たとえ、のどに詰まらせた場合でも、食品に貫通穴が設けられているために気道を確保し、呼吸することが出来るようにすることを特徴とする。【選択図】図１
2010168106.tif 000002
【特許請求の範囲】
【請求項１】
食品を充填するための容器部と、
この容器部の内側に設けられ、その上端が前記容器部に食品が充填された場合の当該食品を少なくとも貫通するだけの長さを有する凸部と、
前記容器部に食品が充填され、前記容器部の上縁及び前記凸部の上端に剥離可能に接着密封される蓋部と
を備えることを特徴とするポーション容器。
【請求項２】
前記凸部の上端が前記蓋部に接する部分で平面を有することを特徴とする請求項１に記載のポーション容器。
【請求項３】
前記容器部の外側であって前記凸部の下端に凹部を備えることを特徴とする請求項１または請求項２に記載のポーション容器。
【請求項４】
前記凹部の開口部を密封するための第２の蓋部を備えることを特徴とする請求項３に記載のポーション容器。
【請求項５】
前記凹部に収納されるカプセルと、
前記凹部に前記カプセルを収納した状態で前記凹部の開口部を密封するための第２の蓋部と
を備えることを特徴とする請求項３に記載のポーション容器。
【請求項６】
前記容器部の上縁がフランジ部を有することを特徴とする請求項１ないし請求項５のいずれか１項に記載のポーション容器。
【請求項７】
前記容器部は一体成形された熱可塑性プラスチックであり、
前記蓋部はフィルムであることを特徴とする請求項１ないし請求項６のいずれか１項に記載のポーション容器。
【請求項８】
前記凸部は前記容器部の内側底部の略中央に設けられることを特徴とする請求項１ないし請求項７のいずれか１項に記載のポーション容器。
【発明の詳細な説明】
【技術分野】
【０００１】  本発明は、ポーション容器に関する。
【背景技術】
【０００２】  従来の容器としては、突出部を有する鍔付き容器上を密着シールされた蓋とによって構成したコーヒー用クリーム入れポーションタイプ小型容器に於いて、該突出部のある鍔片と容器上端のつけ根に略Ｖ字状の折目を設け、該折目を折ることによりシール蓋を、突出部上面に密着したまま開口するようにした容器が知られている（例えば、特許文献１参照。）。【０００３】  又、従来の容器としては、熱可塑性プラスチックシートを成形して得られる底部と側壁とフランジ部を一体としてなすプラスチック製容器であって、フランジ部の端縁には，フランジ部を一周する環状凹部が設けられ、底部の略中央には開口部方向に先端が鋭角な突起が設けられている。フランジ部は，プラスチックボトルの口栓部分に嵌合させる機構を有し，底部に設けた突起により，プラスチック製容器の開口部を密封シールした蓋材を突き破る構造を有する容器が知られている（例えば、特許文献２参照。）。
【先行技術文献】
【特許文献】
【０００４】
【特許文献１】  実開平０３−０８７６７４号公報
【特許文献２】  特開２００４−１１５０７５号公報
【発明の概要】
【発明が解決しようとする課題】
【０００５】  以上に述べた従来の容器は内容物を容易に取り出すための容器であるが、内容物が弾力性のある固形物、例えば「蒟蒻畑（株式会社マンナンライフ登録商標）」の様な弾力性がある食材を入れた場合、そしゃく力の弱い小さい子供や高齢者が食べた場合、のどに詰まらせて窒息するおそれがあるために、パッケージ正面に警告マークを大きく入れ、また個包装にも警告マークを入れ、さらに、こんにゃく粉を減量した製品を製造して対応するなどと不都合な面がある。【０００６】  本発明は、このような従来の問題を解決しようとするものであり、食品を取出した場合、食品に貫通穴が設けられているので、たとえ、のどに詰まらせた場合でも、気道を確保し、呼吸することが出来るようにすることを目的とする。
【課題を解決するための手段】
【０００７】  上記目的を達成するために、食品を充填するための容器部と、この容器部の内側に設けられ、その上端が前記容器部に食品が充填された場合の当該食品を少なくとも貫通するだけの長さを有する凸部と、前記容器部に食品が充填され、前記容器部の上縁及び前記凸部の上端に剥離可能に接着密封される蓋部とを備えることを特徴とするポーション容器を提供する。【０００８】  また、本発明は前記凸部の上端が前記蓋部に接する部分で平面を有することを特徴とする請求項１に記載のポーション容器を提供する。【０００９】  また、本発明は前記容器部の外側であって前記凸部の下端に凹部を備えることを特徴とする請求項１または請求項２に記載のポーション容器を提供する。【００１０】  また、本発明は前記凹部の開口部を密封するための第２の蓋部を備えることを特徴とする請求項３に記載のポーション容器を提供する。【００１１】  また、本発明は前記凹部に収納されるカプセルと、前記凹部に前記カプセルを収納した状態で前記凹部の開口部を密封するための第２の蓋部とを備えることを特徴とする請求項３に記載のポーション容器を提供する。【００１２】  また、本発明は前記容器部の上縁がフランジ部を有することを特徴とする請求項１ないし請求項５のいずれか１項に記載のポーション容器を提供する。【００１３】  また、本発明は前記容器部が一体成形された熱可塑性プラスチックであり、前記蓋部はフィルムであることを特徴とする請求項１ないし請求項６のいずれか１項に記載のポーション容器を提供する。【００１４】  また、本発明は前記凸部が前記容器部の内側底部の略中央に設けられることを特徴とする請求項１ないし請求項７のいずれか１項に記載のポーション容器を提供する。【００１５】  上記課題解決手段による作用は次の通りである。ポーション容器から食品を取出した場合、食品に貫通穴が設けられ、たとえ、のどに詰まらせた場合、貫通穴が設けられているために気道を確保し、呼吸することが可能となる。
【発明の効果】
【００１６】  本発明のポーション容器によれば、非液状有体物である食品をそしゃく力の弱い小さい子供や高齢者が食べて、のどに詰まらせてしまった場合にも気道を確保して呼吸をすることを可能にする。
【図面の簡単な説明】
【００１７】
【図１】  本発明の一実施形態を示すポーション容器の正面図である。
【図２】  本発明の一実施形態を示すポーション容器の斜視図である。
【図３】  本発明の一実施形態を示すカプセル内蔵ポーション容器の正面図である。
【図４】  本発明に係る食品の一例を示す斜視図である。
【図５】  本発明の一実施形態を示すポーション容器の正面図である。
【図６】  本発明の一実施形態を示すポーション容器の正面図である。
【図７】  本発明の一実施形態を示すポーション容器の正面図である。
【図８】  本発明の一実施形態を示すポーション容器の正面図である。
【発明を実施するための形態】
【００１８】  図１は本発明の一実施形態に係るポーション容器を説明するための正面図である。逆円錐台形状とした容器部１の底部２には円錐台形状とした凸部３が設けられており、容器部１の空間に食品４が充填され、円板形状の蓋部５が容器部１の上縁６と凸部３の上端７に接着密封される。なお、容器部１と凸部３は例えば一体成形された熱可塑性プラスチックからなる。また、蓋部５は例えばフィルムからなる。
【００１９】  図２は本発明の一実施形態に係るポーション容器を説明するための斜視図である。容器部１の底部２には凸部３が、容器部１の上縁６にはフランジ部８が設けられており、容器部１の空間に食品４が充填され、蓋部５が容器部１のフランジ部８と凸部３の上端７に接着密封される。
図１および図２のいずれに示す実施形態においても、食品４が比較的その形状を維持しやすい程度の硬さがある場合、そしゃく力の弱い小さい子供や高齢者が食べて、のどに詰まらせてしまった場合であっても、気道を確保し呼吸することを可能にすることが出来る。
【００２０】  図３は本発明の一実施形態に係るカプセル内蔵ポーション容器を説明するための正面図である。逆円錐台形状とした容器部１の底部２には円錐台形状とした凸部３が設けられており、容器部１の空間に食品４が充填され、円板形状の蓋部５が容器部１の上縁６と凸部３の上端７に接着密封される。そして、凸部３の下端１４に凹部１０を設け、前記凹部１０の空間にカプセル１１を収納し、底蓋１３で前記容器部１の前記底部２に設けられた前記凸部３の下端１４の凹部１０を接着密封する。
本一実施形態の場合、例えば、カプセル１１には食品４とともに食するカプセル内容物１２を収めておく。このようにすることで、予め食品４にカプセル内容物１２を混合したり振りかけたりする必要がなくなり、よりよい食感や味を楽しむことが可能になる。また同時に、食品４とカプセル内容物１２を一体的にすることができるため１つの商品として扱うことが可能になる。
【００２１】  図４は図３に示す本発明の一実施形態の場合に本発明のポーション容器に充填された食品４をポーション容器から取り出した状態を示す斜視図である。接着密封された蓋部５を剥離して、容器部１の底部２を上にして、底部２を指で押し、食品４を容器部１から取り出すと、食品４の略中央に穴９が設けられている。また、食品４の略中央に穴９が設けられているために、食品４が軟らかいゼリー状の場合、食品４を皿等に載せ、接着密封された底蓋１３を剥離してカプセル１１を取り出し、カプセル１１を開け、カプセル内容物１２、例えば、甘味料、ミルク、ジュース等を穴９に入れ、食品４とミックスして食する。
なお、食品４が軟らかいゼリー状でない場合であっても、カプセル１１にカプセル内容物１２として調味粉末を入れておけば、食する前に容器部１に充填されたままの食品４上部に振りかけることができる。
【００２２】  図５は本発明の一実施形態に係るポーション容器を説明するための正面図である。逆円錐台形状を階段状に２段重ねとした容器部１の底部２には円錐台形状とした凸部３が、容器部１の中段部１７には円錐台形状とした小凸部１５が複数個設けられており、容器部１の空間に食品４が充填され、円板形状の蓋部５が容器部１の上縁６と凸部３の上端７と小凸部１５の小凸部上端１６に接着密封される。
【００２３】  図６は本発明の一実施形態に係るポーション容器を説明するための正面図である。逆円錐台形状とした容器部１の底部２には円錐台形状とした凸部３が容器部１の上縁６より低く設けられており、容器部１の空間に食品４が上端７を越さないように充填され、円皿状の蓋部５の鍔部１８と容器部１の上縁６が、蓋部５の凹部１９と凸部３の上端７とが接着密封される。
【００２４】  図７は本発明の一実施形態に係るポーション容器を説明するための正面図である。逆円錐台形状とした容器部１の底部２には円錐台形状とした凸部３が複数個設けられており、容器部１の空間に食品４が充填され、円板形状の蓋部５が容器部１の上縁６と凸部３の上端７に接着密封される。
【００２５】  図８は本発明の一実施形態に係るポーション容器を説明するための正面図である。逆円錐台形状とした容器部１の底部２には円錐台形状とした凸部３が、容器部１の内側斜面には円錐台形状とした小凸部１５が複数個設けられており、容器部１の空間に食品４が充填され、円板形状の蓋部５が容器部１の上縁６と凸部３の上端７と小凸部１５の小凸部上端１６に接着密封される。
【００２６】  上記説明において食品４の形状を円錐台形状として便宜上説明したが、本発明において食品４の形状は本発明の概念を適用し得るものであれば本実施の形態に記載されたものに限定されるものではなく、いかなる形状であってもよい。
凸部３の形状も同じく円錐台形状として便宜上説明したが、本発明において凸部３の形状は本発明の概念を適用し得るものであれば同様に本実施の形態に記載されたものに限定されるものではない。凸部３の太さも適宜選択し得る。また、図面上、凸部３は底部２のほぼ中央に設けられているが必ずしも中央に設けられる必要はない。凸部３は底部２にすら設けられる必要もなく、容器部１の側面が斜面になっている場合や階段状になっている場合などは当該斜面に設けられるようにしてもよい。凸部３は複数設けるようにしてもよく、その場合、各凸部３の太さは異なっていてもよい。凸部３を複数設けることにより１つの場合よりも呼吸をしやすくすることが可能になる。図１および図２に示す実施の形態の場合は図３の場合のように凸部３の下端に凹部を設けても設けなくてもよい。
さらに、食品４が容器部１の上面（蓋部５が設けられる位置）まで収納されず、これよりも低い位置に食品４の上端がくる場合、凸部３は容器部１の上縁６まで延びている必要はなく、少なくとも食品４の上端と同じ位置まであればよい（すなわち、凸部は少なくとも食品４を貫通する長さを有するものであればよい）。
さらにまた、食品４は液状ではない有体物であれば、例えばゼリー状の物から弾力性の有る物まで、容器部１に充填して、蓋部５で接着密封されるもので本発明の概念を適用し得るものであれば限定されるものではない。
また、カプセル内容物１２は飲食するものでなくてもよい。例えば、販売促進を目的とした貴金属（プラチナ・金・銀）製の七福神等のグッズを入れ、食品４を食すると共にグッズを集める楽しみを持たせる物でもよい。
前記グッズを収納する場合、カプセル１１に収容せず、凹部１０内に直接収納して蓋部１３で接着密封してもよい。
【符号の説明】
【００２７】    １  容器部、  ２  底部、  ３  凸部、  ４  食品、  ５  蓋部、  ６  上縁、  ７  上端、  ８  フランジ部、  ９  穴、  １０  凹部、  １１  カプセル、  １２  カプセル内容物、  １３  底蓋、  １４  下端、  １５  小凸部、  １６  小凸部上端、  １７  中段部、  １８  鍔部、  １９  凹部
【図１】
2010168106.tif 000003
【図２】
2010168106.tif 000004
【図３】
2010168106.tif 000005
【図４】
2010168106.tif 000006
【図５】
2010168106.tif 000007
【図６】
2010168106.tif 000008
【図７】
2010168106.tif 000009
【図８】
2010168106.tif 000010